(57)【要約】【課題】フランス落し本体の落し棒と受具の取付け誤差があっても、工具を使用することなく、受具の穴の位置を調整することができ、フランス落し受具に落し棒をスムーズに嵌め込むことができ、かつ隣り合うパネル同士の表面に段差が生じないようにすることができるフランス落し受具及びこの受具を備えたフランス落しを提供する。【解決手段】フランス落し受具は、軸に垂直な断面形状が角形又は円形に形成され、中央部にフランス落し本体の落し棒の先端が挿入可能な穴が設けられる筒状の内筒部材と、内部に内筒部材が挿嵌可能な長角穴を有し、被設置面に設けられた凹部に嵌入される有底筒状の外筒部材と、長角穴に挿脱可能、内筒部材を固定するための少なくとも１枚の長方形のスペーサ板とを備え、内筒部材は、スペーサ板の挿入位置によって長角穴に沿って移動可能に構成されている。【選択図】図１
0003235538.tif 000002
【実用新案登録請求の範囲】
【請求項１】
軸に垂直な断面形状が角形又は円形に形成され、中央部にフランス落し本体の落し棒の先端が挿入可能な穴が設けられる筒状の内筒部材と、
内部に前記内筒部材が挿嵌可能な長角穴を有し、被設置面に設けられた凹部に嵌入される有底筒状の外筒部材と、
前記長角穴に挿脱可能、前記内筒部材を固定するための少なくとも１枚の長方形のスペーサ板とを備え、
前記内筒部材は、前記スペーサ板の挿入位置によって前記長角穴に沿って移動可能に構成されていることを特徴とするフランス落し受具。
【請求項２】
前記内筒部材の上部にツバ部を有し、該ツバ部は、円形又は小判形形状を有し、前記内筒部材が前記長角穴に沿って移動された場合、前記外筒部材が露出しないように前記外筒部材の外径より大きく形成されていることを特徴とする請求項１に記載のフランス落し受具。
【請求項３】
前記内筒部材は、前記穴内に、該穴の上側開口部を閉塞する蓋と、前記蓋を前記穴の上側開口部へ向けて付勢する弾性体と、前記内筒部材に装着され、中央部に貫通穴を有し、前記内筒部材の上面を覆うカバー部材とを有し、
前記貫通穴の径は前記フランス落し本体の落し棒の先端が挿入可能、かつ前記蓋の外径より小さく形成されていることを特徴とする請求項１又は２に記載のフランス落し受具。
【請求項４】
前記スペーサ板の短辺の幅は長角穴の短辺より小さく形成され、前記長角穴の底面に前記スペーサ板の両側端を規制するガイド溝が設けられていることを特徴とする請求項１から３のいずれか１項に記載のフランス落し受具。
【請求項５】
請求項１から４のいずれか１項に記載のフランス落し受具を備えたことを特徴とするフランス落し。
【考案の詳細な説明】
【技術分野】
【０００１】
本考案は、移動間仕切り、扉等に用いられる直線方向にのみ調整可能なフランス落し受具（坪受け）及びこのフランス落し受具を備えたフランス落しに関する。
【背景技術】
【０００２】
移動間仕切りに使用するフランス落し受具（坪受け）は、パネル固定時のガタツキを極力減らすため、フランス落し本体の落し棒（シャフト）の直径（例えば、φ９．４ｍｍ）に対し、フランス落し受具の穴径を、例えば９．５ｍｍとし、クリアランスがほとんどなくなっている。そのため、パネルの建付けが少しでも変化すると、フランス落し受具のシャフトがフランス落し受具の穴に入らなくなる問題が生じる。
【０００３】
この問題を解決するために、本出願人は、フランス落し本体の落し棒と受具との取付け誤差があっても、これを調整して容易に解消することができ、フランス落し受具に落し棒をスムーズに嵌め込むことができるフランス落し受具及びこの受具を備えたフランス落しを提案した（特許文献１）。
【０００４】
この特許文献１に記載のフランス落し受具は、床面に設けた設置孔に嵌め込められ上部が開口した外筒部材と、軸から偏心した位置にフランス落し本体の落し棒の先端が挿入可能な貫通穴が設けられ、外筒部材に同軸にかつ回動可能に挿嵌される内筒部材とを備えている。内筒部材は、貫通穴内に、この貫通穴の上側開口部を閉塞する蓋と、蓋を貫通穴の上側開口部へ向けて付勢する弾性体と、弾性体の下端に当接して固定支持する支持手段とを有している。
【０００５】
これにより、フランス落しの落し棒の位置とこのフランス落し受具の位置とがずれて取付けられた場合であっても、内筒部材を回動して貫通穴の位置が調整することにより、そのずれを解消でき、落し棒をフランス落し受具にスムーズに嵌めることができる。また、内筒部材が貫通穴の上側開口部を閉塞する蓋と、この蓋を貫通穴の上側開口部の方向へ付勢する弾性体とを備えているため、ゴミ、埃、砂等のフランス落し受具への侵入を防ぐことができる。
【先行技術文献】
【特許文献】
【０００６】
【特許文献１】特許第６３９９８５６号公報
【考案の概要】
【考案が解決しようとする課題】
【０００７】
しかしながら、上述した特許文献１に記載のフランス落し受具は、内筒部材に軸から偏心した位置にフランス落し本体の落し棒の先端が挿入可能な貫通穴が設けられているため、建付けの変化に対応するための位置調整をしようとしても、見込み方向への位置調整が入ってしまうため、隣り合うパネル同士の表面に段差が生じてしまうという問題点があった。
【０００８】
従って、本考案は従来技術の上述した課題を解消するものであり、本考案の目的は、フランス落し本体の落し棒と受具との取付け誤差があっても、工具を使用することなく、受具の穴の位置を調整することができ、フランス落し受具に落し棒をスムーズに嵌め込むことができ、かつ隣り合うパネル同士の表面に段差が生じないようにすることができるフランス落し受具及びこの受具を備えたフランス落しを提供することにある。
【０００９】
本考案の他の目的は、ゴミ、埃、砂等の侵入を防ぐことができると共に、受具の穴の位置を調整した場合でも、意匠性を損なわないフランス落し受具及びこの受具を備えたフランス落しを提供することにある。
【課題を解決するための手段】
【００１０】
本考案によれば、フランス落し受具は、軸に垂直な断面形状が角形又は円形に形成され、中央部にフランス落し本体の落し棒の先端が挿入可能な穴が設けられる筒状の内筒部材と、内部に内筒部材が挿嵌可能な長角穴を有し、被設置面に設けられた凹部に嵌入される有底筒状の外筒部材と、長角穴に挿脱可能、内筒部材を固定するための少なくとも１枚の長方形のスペーサ板とを備え、内筒部材は、スペーサ板の挿入位置によって長角穴に沿って移動可能に構成されている。
【００１１】
外筒部材の内部に内筒部材が挿嵌可能な長角穴が設けられ、内筒部材は長角穴に沿って移動可能、かつ少なくとも１枚の長方形のスペーサ板で位置調整、固定するため、フランス落しの落し棒の位置とこのフランス落し受具の位置とがずれて取付けられた場合、内筒部材を長角穴に沿って（即ち、外筒部材に対して一方向へのみ）移動させることで穴の位置を調整することができ、これにより、そのずれを解消し、落し棒をフランス落し受具にスムーズに嵌めることができ、かつ隣り合うパネル同士の表面に段差が生じないようにすることができる。
【００１２】
内筒部材の上部にツバ部を有し、このツバ部は、円形又は小判形形状を有し、内筒部材が長角穴に沿って移動された場合、外筒部材が露出しないように外筒部材の外径より大きく形成されていることが好ましい。これにより、受具の穴の位置を調整した場合でも、意匠性を損なわない。
【００１３】
内筒部材は、穴内に、この穴の上側開口部を閉塞する蓋と、この蓋を穴の上側開口部へ向けて付勢する弾性体と、内筒部材に装着され、中央部に貫通穴を有し、内筒部材の上面を覆うカバー部材とを有し、貫通穴の径はフランス落し本体の落し棒の先端が挿入可能、かつ蓋の外径より小さく形成されていることも好ましい。これにより、ゴミ、埃、砂等の侵入を防ぐことができる。
【００１４】
スペーサ板の短辺の幅は長角穴の短辺より小さく形成され、長角穴の底面にスペーサ板の両側端を規制するガイド溝が設けられていることも好ましい。
【００１５】
また、本考案によれば、フランス落しは、上述したフランス落し受具を備えたことで、フランス落し本体の落し棒と受具の取付け誤差があっても、フランス落しの落し棒をスムーズに嵌めることができ、かつ隣り合うパネル同士の表面に段差が生じないようにすることができる。また、ゴミ、埃、砂等の侵入を防ぐことができる。
【考案の効果】
【００１６】
本考案によれば、フランス落し受具及びフランス落しは、外筒部材の内部に内筒部材が挿嵌可能な長角穴が設けられ、内筒部材は長角穴に沿って移動可能、かつ少なくとも１枚の長方形のスペーサ板で位置調整、固定するため、フランス落しの落し棒の位置とこのフランス落し受具の位置とがずれて取付けられた場合、工具を使用することなく、内筒部材を長角穴に沿って（即ち、外筒部材に対して一方向へのみ）移動させることで穴の位置を調整することができ、これにより、そのずれを解消し、落し棒をフランス落し受具にスムーズに嵌めることができ、かつ隣り合うパネル同士の表面に段差が生じないようにすることができる。また、ゴミ、埃、砂等のフランス落し受具への侵入を防ぐことができる。
【図面の簡単な説明】
【００１７】
【図１】本考案の一実施形態に係るフランス落し受具の全体の構成を概略的に示す分解斜視図である。
【図２】図１の実施形態に係るフランス落し受具の外筒部材の構成を概略的に示す上面図及びＡ−Ａ断面図である。
【図３】図１の実施形態に係るフランス落し受具の内筒部材の構成を概略的に示す上面図及びＢ−Ｂ断面図である。
【図４】図１の実施形態に係るフランス落し受具の全体の構成を概略的に示す組立状態を示す斜視図及び断面図である。
【図５】図１の実施形態に係るフランス落し受具の内筒部材の位置調整後の状態を示す斜視図及び断面図である。
【図６】図１の実施形態に係るフランス落し受具を備えたフランス落しの構成を概略的に示す斜視図である。
【考案を実施するための形態】
【００１８】
以下、本考案に係るフランス落し受具及びそれを備えたフランス落しの実施形態を、図を参照して説明する。
【００１９】
図１は本考案の一実施形態におけるフランス落し受具１００の全体の構成を分解状態で示している。図２は外筒部材１０の構成を示しており、同図（Ａ）は外筒部材１０を上面から見た状態、同図（Ｂ）は外筒部材１０のＡ−Ａ線断面を示している。図３は内筒部材２０が組み立てられた状態を示しており、同図（Ａ）は内筒部材２０を上面から見た状態、同図（Ｂ）は内筒部材２０のＢ−Ｂ線断面を示している。図４はフランス落し受具１００の組み立て状態を示しており、同図（Ａ）はフランス落し受具１００の外観図であり、同図（Ｂ）はフランス落し受具１００のＣ−Ｃ線断面を示しており、同図（Ｃ）はＤ−Ｄ線断面を示している。図５はフランス落し受具１００の内筒部材２０の位置調整後の状態を示しており、同図（Ａ）は外観図であり、同図（Ｂ）はフランス落し受具１００のＥ−Ｅ線断面を示しており、同図（Ｃ）はＦ−Ｆ線断面を示している。なお、図３（Ａ）、図４（Ｃ）及び図５（Ｃ）においては、バネ２４の表示を省略している。
【００２０】
図１〜図５に示すように、本実施形態に係るフランス落し受具１００は、内部に長角穴１２を有し、床面である被設置面に設けられた円筒状の凹部に嵌入固定される円筒状の外筒部材１０と、中央部にフランス落し本体の落し棒の先端が挿入可能な穴が設けられ、外筒部材１０の長角穴１２に挿嵌可能な内筒部材２０と、長角穴に挿脱可能、内筒部材２０を固定するための少なくとも１枚（例えば、６枚）の長方形のスペーサ板３０とを備えている。
【００２１】
外筒部材１０は、図２に示すように、樹脂材料又は金属材料によって有底円筒形状に形成されている。この外筒部材１０は、本実施形態では、ポリプロピレン（ＰＰ）樹脂材料を成形して形成されている。外筒部材１０は、有底円筒形状の本体部１１と、内部に形成された長角穴１２と、長角穴１２の底面にスペーサ板３０の両側端を規制するガイド溝１３とを備えている。本体部１１の外表面には、先端が下向きのテーパ状の複数の抜け止め用突起１１ａと、本体部１１の軸方向に伸長する１対のリブ１１ｂが形成されている。これら複数の抜け止め用突起１１ａは、被設置面に設けられた円筒状の凹部にこの有底円筒部１１を挿入嵌合した際に、外筒部材１０をしっかりと固定が行われるために設けられている。１対のリブ１１ｂは外筒部材１０の長角穴１２の中心線上に配置されており、パネルの長さ方向の線と長角穴１２の中心線の平行が出しやすくなっている。長角穴１２は、外筒部材１０の上面中央部に形成されている。ガイド溝１３は、長角穴１２に沿って形成されている。
【００２２】
内筒部材２０は、図３に示すように、本体部２１の断面形状が例えば角形（四角形）に形成され、外筒部材１０の長角穴１２内に着脱自在に挿嵌でき、かつ本体部２１の中央部にフランス落し本体の落し棒の先端が挿入可能であり軸方向に伸長する穴２２が設けられている。この内筒部材２０は、穴２２内に配設されており、この穴２２の上側開口部を閉塞する蓋２３と、穴２２内に配設されており、蓋２３を穴２２の上側開口部へ向けて付勢する弾性体としてのバネ２４とを備えている。また、穴２２の底面にバネ２４の下端に当接しこのバネ２４の下端に当接して位置決め、支持する突起部２２ａが設けられている。また、内筒部材２０の本体部２１の上部に一体に形成されたツバ部２１ａを有し、このツバ部２１ａは、円形形状を有し、内筒部材２０が外筒部材１０の長角穴１２に沿って移動された場合、外筒部材１０が露出しないよう（上から見えないように）に外筒部材１０の外径より大きく形成されている。なお、ツバ部２１ａは小判形に形成されても良い。この場合、長角穴１２の長さ方向への可動域を最大限に活かしながら、直交方向の寸法を最小限にすることができる。内筒部材２０及び蓋２３は、樹脂材料又は金属材料によって形成されているが、特に本実施形態では、内筒部材２０及び蓋２３は、ポリプロピレン（ＰＰ）樹脂材料を成形して形成されている。
【００２３】
また、内筒部材２０には、上面を覆うカバー部材２５が装着されている。このカバー部材２５は、中央部に貫通穴２５ａを有している。この貫通穴２５ａの径はフランス落し本体の落し棒の先端が挿入可能、かつ蓋２３の外径より小さく形成されている。この貫通穴２５ａは、蓋２３を係止する機能をする。
【００２４】
スペーサ板３０は、図１に示すように、外筒部材１０の長角穴１２に挿脱可能な長方形板状に形成され、内筒部材１０を固定するためのものであり、樹脂製又は金属製の平板小片である。本実施形態において、例えば、６枚のスペーサ板３０を有し、各スペーサ板３０は厚さ１ｍｍとする場合、１ｍｍ単位、合計６ｍｍのストロークで内筒部材２０の位置を調整することができる。また例えば、６枚のスペーサ板３０のうち、２枚を０.５ｍｍにすると、位置調整の場合、２枚のスペーサ板３０に差し替えれば、０．５ｍｍ単位での位置調整も可能となる。また、スペーサ板３０の短辺３０ａの幅は長角穴１２の短辺１２ａより小さく形成されている。これにより、内筒部材２０の位置を調整する際に、スペーサ板３０の出し入れが容易にできる。このように、内筒部材２０の両側のスペーサ板３０の枚数を調整することで、フランス落し本体の落し棒とフランス落し受具１００との取付け位置にずれがある場合にも、内筒部材２０を外筒部材１０の長角穴１２に沿って移動させることで穴２２の位置を調整することにより、そのずれを解消することができる。
【００２５】
図４に示すように、内筒部材２０の位置調整前の状態（即ち、出荷時の初期状態）では、内筒部材２０が外筒部材１０の中心に位置にあり、その両側にそれぞれ３枚のスペーサ板３０が配置されている。
【００２６】
図５は内筒部材２０の位置調整後の状態の一例を示しており、図５に示すように、内筒部材２０が外筒部材１０の長角穴１２の一端側に移動させる場合、内筒部材２０を外筒部材１０の長角穴１２から取り出し、そして、左側の３枚のスペーサ板３０を取り出し、右側に配置した後、内筒部材２０を再度長角穴１２に挿入することで、内筒部材２０が長角穴１２の左側に位置するようになる。この場合、内筒部材２０はスペーサ板３０の３枚分厚さの距離が移動された。同様に、内筒部材２０の位置調整は、例えば、内筒部材２０の左側に２枚のスペーサ板３０を配置し、右側に４枚のスペーサ板３０を配置するようにしても良い。又は、内筒部材２０の左側に１枚のスペーサ板３０を配置し、右側に５枚のスペーサ板３０を配置するようにしても良い。このように、内筒部材２０を長角穴１２に沿って移動させることで、穴２２の位置を容易に調整することができ、落し棒をフランス落し受具１００にスムーズに嵌めることができる。
【００２７】
図６は本実施形態のフランス落し受具１００を備えたフランス落し２００の一構成例を示している。図６に示すように、フランス落し２００は、床又は敷居等の被設置面に設けられた凹部に嵌入される上述したフランス落し受具１００と、扉（又はパネル等）１に装着されたフランス落し本体１１０と備えている。
【００２８】
フランス落し本体１１０は、例えば、扉１の端面又は内側面の下部に固着される落し棒保持具１１１と、落し棒保持具１１１に昇降自在に装着される落し棒（スライドシャフト）１１２と、落し棒１１２の中間部に固着された摘み１１３とを有している。摘み１１３の操作により落し棒１１２の上昇（ロック開放）又は降下（ロック）ができる。
【００２９】
この場合、例えば、扉１に固着されたフランス落し本体１１０の落し棒１１２の位置とフランス落し受具１００の位置との間に取付け誤差があっても、フランス落し受具１００の内筒部材２０の位置を移動させることで穴２２の位置が調整できるため、落し棒１１２をこの穴２２にスムーズに嵌めることができる。
【００３０】
以上説明したように、本実施形態に係るフランス落し受具１００は、外筒部材１０と、この外筒部材１０内に移動可能に挿入される内筒部材２０と、複数のスペーサ板３０とを有しており、内筒部材２０の中央部に、フランス落し本体１１０の落し棒１１２の先端が挿入可能な穴２２を備えているため、フランス落し本体１１０の落し棒１１２の位置とフランス落し受具１００の位置とがずれて取付けられた場合であっても、工具を使用することなく、内筒部材２０を外筒部材１０の長角穴１２に沿って（即ち、外筒部材に対して一方向へのみ）移動して穴２２の位置を調整することができ、これにより、そのずれを解消し、落し棒１１２をフランス落し受具１００にスムーズに嵌めることができ、かつ隣り合うパネル同士の表面に段差が生じないようにすることができる。
【００３１】
また、内筒部材２０の上部にツバ部２１ａを有し、このツバ部２１ａは、円形又は小判形形状を有し、内筒部材２０が長角穴１２に沿って移動された場合、外筒部材１０が露出しないように外筒部材１０の外径より大きく形成されていることにより、内筒部材２０の穴２２の位置を調整した場合でも、意匠性を損なわない仕上がりが実現できる。
【００３２】
さらに、内筒部材２０には、穴２２の上側開口部を閉塞する蓋２３と、この蓋２３を穴２２の上側開口部の方向へ付勢するバネ２４とを備えているため、ゴミ、埃、砂等のフランス落し受具１００への侵入を防ぐことができる。
【００３３】
なお、前述した実施形態のフランス落し受具１００において、内筒部材２０の本体部２１の断面形状が角形（四角形）に形成された例を説明したが、本考案はこれに限定されるものではない。例えば、内筒部材２０の本体部２１の断面形状が円形等他の形状に形成されても良い。
【００３４】
また、前述した実施形態のフランス落し受具１００において、６枚のスペーサ板３０を有する例を説明したが、本考案はこれに限定されるものではない。例えば、スペーサ板３０の数は、外筒部材１０の長角穴１２の長さ及びスペーサ板３０の厚さによって、１枚から５枚のいずれかにしても良い。勿論、必要に応じて７枚以上にしても良い。
【００３５】
また、前述した実施形態のフランス落し受具１００において、内筒部材２０は、穴２２の上側開口部を閉塞する蓋２３と、蓋２３を穴２２の上側開口部へ向けて付勢する弾性体２４とを有する例を説明したが、本考案はこれに限定されるものではない。例えば、蓋２３及び弾性体２４を設けなくても良い。
【００３６】
さらに、前述した実施形態のフランス落し受具１００において、外筒部材１０及び内筒部材２０は、ポリプロピレン（ＰＰ）樹脂材料から成形されたものとしたが、本考案はこれに限定されるものではない。金属材料から形成しても良い。
【００３７】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００３８】
１  扉（パネル）
１０  外筒部材
１１  本体部
１１ａ  抜け止め
１１ｂ  リブ
１２  長角穴
１２ａ  ３０ａ  短辺
１３  ガイド溝
２０  内筒部材
２１  本体部
２１ａ  ツバ部
２２  穴
２２ａ  突起部
２３  蓋
２４  バネ
２５  カバー部材
２５ａ  貫通穴
３０  スペーサ板
１００  フランス落し受具
１１０  フランス落し本体
１１１  落し棒保持具
１１２  落し棒
１１３  摘み
２００  フランス落し
【図１】
0003235538.tif 000003
【図２】
0003235538.tif 000004
【図３】
0003235538.tif 000005
【図４】
0003235538.tif 000006
【図５】
0003235538.tif 000007
【図６】
0003235538.tif 000008